(57)【要約】【課題】  法面作業中に工具や資材を取るために横移動する。この時に、親綱より安全器を外して無胴綱状態となり、墜落災害が発生している。そこで、作業者の補助用として携帯の負担にならない持参できる小型・軽量・片手で開閉操作が可能な安全器を提供する。【解決手段】  端面近似Ｕ字状のロープ挿通保持体１の対向する側片一側に、ロープ止め爪２１・ロープ結合環２２を有する梃子杆２の主軸３一端を蝶着３１し、側片他側に設けた開閉機構４で主軸３他端を嵌脱自在とした墜落防止用安全器において、側片他側に取付軸５を垂直に設け、該取付軸５に係止蓋６と外れ止め金具７を遊嵌すると共に、押圧バネ８を嵌合し、常時係止蓋６と外れ止め金具７を本体側片に押圧し、係止蓋６に設けた係止穴９と、主軸３先端に設けた溝３２とが嵌合し、外れ止め金具７の先端部が主軸３先端の下側に位置し、ロック状態となる構造を有しており、片手による開閉操作が可能である。【選択図】        図１
2008307283.tif 000002
【特許請求の範囲】
【請求項１】
端面近似Ｕ字状のロープ挿通保持体１の対向する側片一側に、ロープ止め爪２１・ロープ結合環２２を有する梃子杆２の主軸３一端を蝶着３１し、側片他側に設けた開閉機構４で主軸３他端を嵌脱自在とした墜落防止用安全器において、側片他側に取付軸５を垂直に設け、該取付軸５に係止蓋６と外れ止め金具７を遊嵌すると共に、押圧バネ８を嵌合し、常に係止蓋６と外れ止め金具７を本体側片に押圧し、係止蓋６に設けた係止穴９と、主軸３先端に設けた溝３２とが嵌合し、外れ止め金具７の先端部が主軸３端の下側に位置し、ロック状態となる構造を特徴とする墜落防止用安全器。
【発明の詳細な説明】
【技術分野】
【０００１】
本願は、高所作業者が墜落防止のために使用する親綱に連結する墜落防止用安全器に関するものである。
【背景技術】
【０００２】
以前より法面作業において、図９に示すような墜落防止用安全器を、斜面に垂下された親綱に嵌合し、鉄筋の組立やコンクリートの吹き付け作業等を行っている。
作業者は、工具や資材を取るためや、作業位置を変えるために途中で横移動することがある。
この時、墜落防止用安全器を外して無胴綱状態となり、墜落災害が発生している。
【０００３】
予め、もう１個の墜落防止用安全器を移動する方に垂下した親綱に取付け無胴綱状態にならないようにすれば良いのであるが、現行の墜落防止用安全器は大きく重いため、作業者が補助用にもう１個持参することは負担が大きく、現実に実施されていない。
また、現行の墜落防止用安全器は開閉機構も堅牢で片手操作ができず、煩雑である。
そこで、作業者が補助用として携帯できる小型・軽量な墜落防止用安全器を開発することが必要とされた。
【０００４】
開発にあたっては、図１０に示すような墜落防止用安全器があり、実公昭５７−３６２０４号、実公昭５７−５９１５８号公報で開示したものである。
この墜落防止用安全器は、鉄塔昇降時・定位置作業時に使用するもので、開閉機構も大きく、両手でもって親綱に取付け・取外しを行うものである。
【特許文献１】実公昭５７−３６２０４号
【特許文献２】実公昭５７−５９１５８号
【発明の開示】
【発明が解決しようとする課題】
【０００５】
前記したように、法面作業時に、工具や資材をとるためや作業位置を変えるために途中で横移動することがあり、この時に主墜落防止用安全器を外して無胴綱状態となり、墜落災害が発生している。
よって、横移動時の無胴綱状態を防止するために、作業者の携帯の負担にならない小型・軽量・片手で開閉操作が可能な補助用の墜落防止用安全器を得て墜落災害を防止するものである。
【課題を解決するための手段】
【０００６】
本願の補助用の墜落防止用安全器は、作業者の携帯の負担にならない従来よりも小型・軽量・片手で開閉操作が可能である。
具体的には、墜落防止用安全器本体の側片他側に取付軸５を垂直に設け、該取付軸５に係止蓋６と外れ止め金具７を遊嵌すると共に、押圧バネ８を嵌合し、常に係止蓋６と外れ止め金具７を本体側片に押圧し、係止蓋６に設けた係止穴９と、主軸３先端に設けた溝３２とが嵌合し、外れ止め金具７の先端部が主軸３端の下側に位置し、ロック状態となる構造である。
【発明の効果】
【０００７】
以上のように、作業者の携帯の負担にならない小型・軽量であるため、作業者があらかじめ本品を持参することを厭わなくなった。
片手で開閉操作が可能であるため、使用中の墜落防止用安全器を外す前に本品を親綱にセットする行為を厭わなくなった。
よって、作業者の墜落災害を防止できる。
【実施例】
【０００８】
本願の実施例を詳記すると、
図１に示すように、端面近似Ｕ字状のロープ挿通保持体１の対向する側片一側に、ロープ止め爪２１・ロープ結合環２２を有する梃子杆２の主軸３一端を蝶着３１し、側片他側に設けた開閉機構４で主軸３他端を嵌脱自在とした墜落防止用安全器において、側片他側に取付軸５を垂直に設け、該取付軸５に係止蓋６と外れ止め金具７を遊嵌すると共に、押圧バネ８を嵌合し、常に係止蓋６と外れ止め金具７を本体側片に押圧し、係止蓋６に設けた係止穴９と、主軸３先端に設けた溝３２とが嵌合し、外れ止め金具７の先端部が主軸３端の下側に位置し、ロック状態となる構造を有している。
【０００９】
開閉機構４は、略Ｔ字状の係止蓋６と、同じく略Ｔ字状の外れ止め金具７と、押圧バネ８が取付軸５に嵌合され、本体上下にガイド１１が設けられ、ガイド１１間に配置されている。
係止蓋６と外れ止め金具７は、押圧バネ８で本体側に押圧されている。
係止蓋６と外れ止め金具７は、長穴が設けられ押圧バネ８に抗して本体側とは逆の方向に開くことができる。
外れ止め金具７は、係止蓋６に押圧されており、下側を本体側に押すとシーソーのように上側先端が回動し、係止蓋６より離反し、主軸３が係止している場合は、主軸３先端より離れ、主軸３の下方への回動を許すものである。
【００１０】
本願の墜落防止用安全器を開放する場合は、外れ止め金具７の下側を本体側に押し、上側先端が係止蓋６より回動離反（図５（２））させる。続いて、主軸３を下方へ回動させ（図６（３））、係止蓋６と溝３２の係止を解き、親指で係止蓋６を本体より離反（図６（４））させれば開放（図７（５））できるものである。
【００１１】
本願の墜落防止用安全器を閉鎖する場合は、ロープ挿通保持体１のＵ字底に親綱Ｒを嵌合し、梃子杆２の主軸３を本体側に回動させれば、主軸３先端部が係止蓋６を押し広げながら回動し、係止蓋６の係止穴９に主軸３先端が嵌合し、手を緩めれば係止穴９上部に主軸３の溝３２が係止し、続いて、外れ止め金具７が押圧バネ８の力により、外れ止め金具７の先端部が主軸３先端下部に位置し、ロック状態となる。この閉鎖動作は、梃子杆４の主軸３を押し下げる操作だけで、係止蓋６と外れ止め金具７が自動的にロックする。即ち、本機構では、ワンタッチ操作で２重の安全機構が作動する。
【００１２】
本願の墜落防止用安全器は、開放操作が片手で容易に行えるが、開放するために係止蓋・外れ止め金具・梃子杆のそれぞれに加える負荷方向が同一でないため、何かに誤って接触しても外れることがなく、安全性が高い。
また、開閉機構自体が少ない部品点数で構成され、主軸の周辺の狭い範囲に部品が集中的に配置できる構造であり、従来品に対して、大幅に軽量・小型化が可能となった。
【図面の簡単な説明】
【００１３】
【図１】本願墜落防止用安全器の斜視図。
【図２】本願墜落防止用安全器の正面図。
【図３】本願墜落防止用安全器の平面図。
【図４】本願墜落防止用安全器の右側面図。
【図５】本願墜落防止用安全器の開放手順図１。
【図６】本願墜落防止用安全器の開放手順図２。
【図７】本願墜落防止用安全器の開放手順図３。
【図８】本願墜落防止用安全器のセット正面図。
【図９】主墜落防止用安全器の斜視図。
【図１０】従来の墜落防止用安全器の斜視図。
【符号の説明】
【００１４】
１  ロープ挿通保持体
11  ガイド
２  梃子杆
21  ロープ止め爪
22  ロープ結合環
３  主軸
31  蝶着
32  溝
４  開閉機構
５  取付軸
６  係止蓋
７  外れ止め金具
８  押圧バネ
９  係止穴
Ｒ  親綱
Ｈ  主墜落防止用安全器
【図１】
2008307283.tif 000003
【図２】
2008307283.tif 000004
【図３】
2008307283.tif 000005
【図４】
2008307283.tif 000006
【図５】
2008307283.tif 000007
【図６】
2008307283.tif 000008
【図７】
2008307283.tif 000009
【図８】
2008307283.tif 000010
【図９】
2008307283.tif 000011
【図１０】
2008307283.tif 000012